(57)【要約】【課題】保温中の御飯が局部的に乾燥して固くなったり、あるいは結露により白化して柔らかくなるなどの食味の劣化を防止し、よりおいしく保温できる炊飯器を提供すること。【解決手段】時間を計測する時間計測手段７、鍋１の底部分の温度を検知する底温度検知手段４、蓋５の温度を検知する蓋温度検知手段６からの信号を入力し、鍋１の底部分を加熱する底加熱手段２、蓋５を加熱する蓋加熱手段３とを制御して炊飯及び保温を行う制御手段８とを備え、底温度検知手段４による底の温度が、あらかじめ決められた保温温度に達するまでの期間において、蓋温度検知手段３による蓋の温度が、底温度検知手段４による底の温度より高くなるように制御するとともに、その温度差を次第に大きくするように底加熱手段２と蓋加熱手段３を制御することで、ご飯の上部に結露してべちゃつき、ご飯の味が劣化することを抑えることができる。【選択図】図１
2011024795.tif 000002
【特許請求の範囲】
【請求項１】
炊飯器本体と、前記炊飯器本体内に収納され米と水を入れる着脱自在な鍋と、前記鍋の上部開口部を覆う開閉自在な蓋と、前記鍋の底部分を加熱する底加熱手段と、前記鍋の前記蓋の内側を加熱する蓋加熱手段と、前記鍋の底部分の温度を検知する底温度検知手段と、前記鍋の前記蓋部分の温度を検知する蓋温度検知手段と、時間を計測する時間計測手段と、前記時間計測手段と前記底温度検知手段と前記蓋温度検知手段の信号を入力し、前記底加熱手段と前記蓋加熱手段を制御して、炊飯と保温を行う制御手段とを備え、前記制御手段は炊飯工程から保温工程に入り、前記底温度検知手段による底の温度があらかじめ決められた保温温度に達するまでの期間において、前記蓋温度検知手段による蓋の温度が、前記底温度検知手段による底の温度より高くなるように制御するとともに、その温度差を次第に大きくするように前記底加熱手段と前記蓋加熱手段を制御してなる炊飯器。
【請求項２】
制御手段は、前記底温度検知手段による底の温度があらかじめ決められた保温温度に達した後、前記蓋温度検知手段による蓋の温度が、前記底温度検知手段による底の温度より高くなるように制御するとともに、その温度差が、あらかじめ決められた時間をかけて所定の値以下になるように前記底加熱手段と前記蓋加熱手段を制御してなる請求項１に記載の炊飯器。
【請求項３】
制御手段は、前記底温度検知手段による底の温度があらかじめ決められた保温温度に達した後、前記蓋温度検知手段による蓋の温度が、前記底温度検知手段による底の温度より高くなるように制御するとともに、その温度差が、保温開始からあらかじめ決められた保温温度に達するまでの時間に応じた時間をかけて所定の値以下になるように前記底加熱手段と前記蓋加熱手段を制御してなる請求項１または２に記載の炊飯器。
【請求項４】
制御手段は、前記底温度検知手段による底の温度があらかじめ決められた保温温度に達した後、前記蓋温度検知手段による蓋の温度が、前記底温度検知手段による底の温度より高くなるように制御するとともに、前記底温度検知手段による底の温度が、あらかじめ決められた保温温度に達する前に比べて単位時間あたりの蓋温度検知手段による蓋の温度の変化量が次第に小さくなるように前記蓋温度検知手段による温度を変化させて、所定の値以下になるように前記底加熱手段と前記蓋加熱手段を制御してなる請求項１〜３のいずれか１項に記載の炊飯器。
【発明の詳細な説明】
【技術分野】
【０００１】
本発明は一般家庭向けの保温機能を有する炊飯器に関するものである。
【背景技術】
【０００２】
従来、この種の炊飯器は炊飯工程から保温工程に入り、蓋部の温度と底部の温度の差をほぼ一定にするように制御したり、その温度差を時間経過とともに徐々に小さく制御するようにしている（例えば、特許文献１、特許文献２、特許文献３参照）。
【先行技術文献】
【特許文献】
【０００３】
【特許文献１】特開平８−２２８９１３号公報
【特許文献２】特開平６−２８４９６０号公報
【特許文献３】特開平６−３０８４２号公報
【発明の概要】
【発明が解決しようとする課題】
【０００４】
しかしながら、前記従来の構成では、蓋部の温度と底部の温度の差をほぼ一定にするように制御したり、その温度差を時間経過とともに徐々に小さく制御するようにしているため、ご飯の乾燥を抑えることはできるが、あらかじめ決められた保温温度に達するまでの温度下降時には、ご飯の中心の温度が最も高く、鍋に接する底の部分、空気に接するご飯の上部の順に低くなり、その差は、時間経過とともに大きくなるので、よりご飯の上部に結露してべちゃつきご飯の味が劣化することになるという課題を有していた。
【０００５】
また、あらかじめ決められた保温温度に達してからも、ご飯の温度が全体に均一化するより早く蓋部の温度と底部の温度を略同一に近づけることになり、鍋上部や蓋の内側の結露が増え、露がご飯に落下して白化し、ご飯の味が劣化することになるという課題を有していた。
【０００６】
本発明は、前記従来の課題を解決するもので、ご飯の味が劣化するのを抑えて保温する炊飯器を提供することを目的とする。
【課題を解決するための手段】
【０００７】
前記従来の課題を解決するために、本発明の炊飯器は、炊飯工程から保温工程に入り、底温度検知手段による底の温度があらかじめ決められた保温温度に達するまでの期間において、蓋温度検知手段による蓋の温度が、底温度検知手段による底の温度より高くなるように制御するとともに、その温度差を次第に大きくするように底加熱手段と蓋加熱手段を制御する制御手段を備えたものである。
【０００８】
これによって、ご飯の温度が全体に均一化してから蓋部の温度と底部の温度を略同一に近づけることになり、鍋上部や蓋の内側の結露を抑えてご飯の上部の結露によるべちゃつき等、ご飯の味が劣化することを抑えて保温することができ、より食味のよいご飯を使用者に供する炊飯器を提供できる。
【発明の効果】
【０００９】
本発明の炊飯器は、ご飯の温度が全体に均一化してから蓋部の温度と底部の温度を略同一に近づけることになり、鍋上部や蓋の内側の結露を抑えてご飯の上部の結露によるべちゃつき等、ご飯の味が劣化することを抑えて保温することができ、より食味のよいご飯を
使用者に供する炊飯器を提供することができる。
【図面の簡単な説明】
【００１０】
【図１】本発明の実施の形態１における炊飯器を示すブロック図
【図２】本発明の実施の形態１における炊飯器の保温時の温度遷移図
【図３】本発明の実施の形態２における炊飯器を示すブロック図
【図４】本発明の実施の形態２における炊飯器の保温時の温度遷移図
【図５】本発明の実施の形態３における炊飯器を示すブロック図
【図６】本発明の実施の形態３における炊飯器の保温時の温度遷移図
【発明を実施するための形態】
【００１１】
第１の発明は炊飯器本体と、前記炊飯器本体内に収納され米と水を入れる着脱自在な鍋と、前記鍋の上部開口部を覆う開閉自在な蓋と、前記鍋の底部分を加熱する底加熱手段と、前記鍋の前記蓋の内側を加熱する蓋加熱手段と、前記鍋の底部分の温度を検知する底温度検知手段と、前記鍋の前記蓋部分の温度を検知する蓋温度検知手段と、時間を計測する時間計測手段と、前記時間計測手段と前記底温度検知手段と前記蓋温度検知手段の信号を入力し、前記底加熱手段と前記蓋加熱手段を制御して、炊飯と保温を行う制御手段とを備え、前記制御手段は炊飯工程から保温工程に入り、前記底温度検知手段による底の温度があらかじめ決められた保温温度に達するまでの期間において、前記蓋温度検知手段による蓋の温度が、前記底温度検知手段による底の温度より高くなるように制御するとともに、その温度差を次第に大きくするように前記底加熱手段と前記蓋加熱手段を制御することにより、ご飯の温度が全体に均一化してから蓋部の温度と底部の温度を略同一に近づけることになり、鍋上部や蓋の内側の結露を抑えてご飯の上部の結露によるべちゃつき等、ご飯の味が劣化することを抑えて保温することができ、より食味のよいご飯を使用者に供する炊飯器を提供することができる。
【００１２】
第２の発明は、特に、第１の発明の制御手段は、前記底温度検知手段による底の温度があらかじめ決められた保温温度に達した後、前記蓋温度検知手段による蓋の温度が、前記底温度検知手段による底の温度より高くなるように制御するとともに、その温度差が、あらかじめ決められた時間をかけて所定の値以下になるように前記底加熱手段と前記蓋加熱手段を制御することにより、鍋上部や蓋の内側の結露を抑えて、露がご飯に落下して白化してご飯の味が劣化することを抑えることができる。
【００１３】
第３の発明は、特に、第１または第２の発明の制御手段は、前記底温度検知手段による底の温度があらかじめ決められた保温温度に達した後、前記蓋温度検知手段による蓋の温度が、前記底温度検知手段による底の温度より高くなるように制御するとともに、その温度差が、保温開始からあらかじめ決められた保温温度に達するまでの時間に応じた時間をかけて所定の値以下になるように前記底加熱手段と前記蓋加熱手段を制御することにより、鍋上部や蓋の内側の結露を抑えて、露がご飯に落下して白化してご飯の味が劣化することを抑えることができる。
【００１４】
第４の発明は、特に、第１〜３のいずれか１つの発明の制御手段は、前記底温度検知手段による底の温度があらかじめ決められた保温温度に達した後、前記蓋温度検知手段による蓋の温度が、前記底温度検知手段による底の温度より高くなるように制御するとともに、前記底温度検知手段による底の温度が、あらかじめ決められた保温温度に達する前に比べて単位時間あたりの蓋温度検知手段による蓋の温度の変化量が次第に小さくなるように前記蓋温度検知手段による温度を変化させて、所定の値以下になるように前記底加熱手段と前記蓋加熱手段を制御することにより、ご飯の上部の結露を抑えて、べちゃつきによるご飯の味の劣化を抑えることができる。
【００１５】
以下、本発明の実施の形態について、図面を参照しながら説明する。なお、この実施の形態によって本発明が限定されるものではない。
【００１６】
（実施の形態１）
図１は本発明の第１の実施の形態の炊飯器を示すブロック図である。
【００１７】
図１において、米や水などの調理物を入れる鍋１の底部に、鍋１の底部分を加熱する底加熱手段２と、鍋１の底部分の温度を検知する底温度検知手段４を配している。鍋１は上部に開口部を有する筒状有底体で、鍋１の上部には鍋１の上部開口部を覆う開閉自在な蓋５を配し、蓋５の上部に蓋５の温度を検知する蓋温度検知手段６と、蓋５を加熱する蓋加熱手段３を備えている。制御手段８は、底温度検知手段４と蓋温度検知手段６と時間を計時する計時手段７の出力に応じ、あらかじめ設定されたシーケンスに従って、底加熱手段２と蓋加熱手段３を制御して、炊飯および保温を行う。
【００１８】
図２は本発明の第１の実施の形態の炊飯器の保温時の温度遷移図を示すもので、保温開始からの底温度検知手段４による底温度と蓋温度検知手段６による蓋温度の状態を簡易に示したものであり、底温度検知手段４による底温度を実線で示し、蓋温度検知手段６による蓋温度を点線で示したものである。なお、図２における横軸は保温開始からの時間であり、縦軸は温度である。
【００１９】
以降、図１と図２を用いて動作を説明する。鍋１に米と調理物を入れた後、制御手段８は、底加熱手段２と蓋加熱手段３を制御して加熱し、炊飯を行った後、保温を開始する。保温開始時点では、図２に示すように、底温度検知手段４による底温度と蓋温度検知手段６による蓋温度は、ほぼ同一になっている（本実施例の場合は１２０℃）。
【００２０】
その後、制御手段８は底温度検知手段４による底の温度が、あらかじめ決められた保温温度（本実施例の場合は７０℃）に達するまで、底温度検知手段４による底温度より蓋温度検知手段６による蓋温度が高く、その温度差が次第に大きくなるように底加熱手段２と蓋加熱手段３を制御する。本実施例の場合は、底温度が１００℃に達した時点では、蓋温度は１０２℃の２度差となるようにし、底温度が９０℃に達した時点では、蓋温度は９３℃の３度差となるようにし、底温度が８０℃に達した時点では、蓋温度は、８４℃の４度差、そして底温度が７０℃に達した時点では、蓋温度は７５℃の５度差となるようにその温度差が次第に大きくなるように底加熱手段２と蓋加熱手段３を制御する。
【００２１】
このように、本実施の形態では、底温度検知手段４による底の温度が、あらかじめ決められた保温温度に達するまでの期間において、蓋温度検知手段６による蓋の温度が、底温度検知手段４による底の温度より高くなるように制御するとともに、その温度差を時間経過とともに大きくするように底加熱手段２と蓋加熱手段３を制御しているので、ご飯の上部に結露してべちゃつき、ご飯の味が劣化することを抑えることができる。
【００２２】
なお、本実施の形態では、底温度に応じて蓋温度との差を決めるようにしているが、温度差が次第に大きくなるようになればよいのであって、保温開始からの時間に応じて温度差が大きくなるようにしてもよいのは明らかである。
【００２３】
また、本実施の形態では、温度を具体的に示しているが、この温度に限定されるものではなく、温度差も同じ幅で変化する必要はなく、室温や炊飯量、蓋開閉の状態、目標とする保温温度などに応じて変化させてもよいのは明らかである。
【００２４】
（実施の形態２）
図３は、本発明の第２の実施の形態の炊飯器を示すブロック図である。
【００２５】
図３において、図１と同じ番号を付したものは、同じであるので詳細な説明は省略する。制御手段９は底温度検知手段４と蓋温度検知手段６と計時手段７の出力に応じ、あらかじめ設定されたシーケンスに従って、底加熱手段２と蓋加熱手段３を制御して、炊飯および保温を行う。
【００２６】
図４は本発明の第２の実施の形態の炊飯器の保温時の温度遷移図を示すもので、保温開始からの底温度検知手段４による底温度を実線で示し、蓋温度検知手段６による蓋温度を点線で示したものである。なお、図４における横軸は保温開始からの時間であり、縦軸は温度である。
【００２７】
以降、図３と図４を用いて動作を説明する。鍋１に米と調理物を入れた後、制御手段９は、底加熱手段２と蓋加熱手段３を制御して炊飯を行った後、保温を開始する。保温開始時点では、図４に示すように、底温度検知手段４による底温度と蓋温度検知手段６による蓋温度は、ほぼ同一になっている（本実施例の場合は１２０℃）。
【００２８】
その後、制御手段９は底温度検知手段４による底の温度が、あらかじめ決められた保温温度（本実施例の場合は７０℃）に達するまで、底温度検知手段４による底温度より蓋温度検知手段６による蓋温度が高く、その温度差が次第に大きくなるように底加熱手段２と蓋加熱手段３を制御する。本実施例の場合は、底温度が７０℃に達した時点で蓋温度は７５℃の５度差となるようにその温度差が次第に大きくなるように底加熱手段２と蓋加熱手段３を制御する。このときの計時手段７による保温開始からの時間ｔとすると、あらかじめ決められた保温温度（本実施例の場合は７０℃）に達した後、底温度検知手段４による底温度より蓋温度検知手段６による蓋温度が高くなるようにしたまま、さらに時間ｔが経過した時点で、蓋温度と底温度の差が所定の値（本実施例の場合２度）以下となるように底加熱手段２と蓋加熱手段３を制御する。
【００２９】
このように、本実施の形態では、底温度検知手段４による底の温度が、あらかじめ決められた保温温度に達した後、蓋温度検知手段６による蓋の温度が、底温度検知手段４による底の温度より高くなるように制御するとともに、その温度差が、保温開始からあらかじめ決められた保温温度に達するまでの時間に応じた時間をかけて所定の値以下になるように底加熱手段２と蓋加熱手段３を制御することで、鍋上部や蓋の内側の結露が増え、露がご飯に落下して白化し、ご飯の味が劣化することを抑えることができる。
【００３０】
また、本実施の形態で温度や温度差を具体的に示しているが、この温度に限定されるものではなく、保温開始からあらかじめ決められた保温温度に達するまでの時間と同じ時間をかけて所定の温度差以下になるようにしているが、必ずしも同じである必要はなく、一定の時間でなく、保温開始からあらかじめ決められた保温温度に達するまでの時間に応じた時間であればよく室温や炊飯量、蓋開閉の状態、目標とする保温温度などに応じてさらに変化させてもよいのは明らかである。
【００３１】
（実施の形態３）
図５は、本発明の第３の実施の形態の炊飯器を示すブロック図である。
【００３２】
図５において、図１と同じ番号を付したものは、同じであるので詳細な説明は省略する。制御手段１０は底温度検知手段４と蓋温度検知手段６と計時手段７の出力に応じ、あらかじめ設定されたシーケンスに従って、底加熱手段２と蓋加熱手段３を制御して、炊飯および保温を行う。
【００３３】
図６は本発明の第３の実施の形態の炊飯器の保温時の温度遷移図を示すもので、保温開
始からの底温度検知手段４による底温度を実線で示し、蓋温度検知手段６による蓋温度を点線で示したものである。なお、図６における横軸は保温開始からの時間であり、縦軸は温度である。
【００３４】
以降、図５と図６を用いて動作を説明する。鍋１に米と調理物を入れた後、制御手段１０は、底加熱手段２と蓋加熱手段３を制御して炊飯を行った後、保温を開始する。保温開始時点では、図６に示すように、底温度検知手段４による底温度と蓋温度検知手段６による蓋温度は、ほぼ同一になっている（本実施例の場合は１２０℃）。
【００３５】
その後、制御手段９は底温度検知手段４による底の温度が、あらかじめ決められた保温温度（本実施例の場合は７０℃）に達するまで、底温度検知手段４による底温度より蓋温度検知手段６による蓋温度が高く、その温度差が次第に大きくなるように底加熱手段２と蓋加熱手段３を制御する。本実施例の場合は、底温度が７０℃に達した時点で蓋温度は７５℃の５度差となるようにその温度差が次第に大きくなるように底加熱手段２と蓋加熱手段３を制御し、このとき、制御手段１０は、計時手段７による時間で所定の時間Ｔ毎（例えば１時間毎）に蓋の温度を確認し、単位時間あたりの蓋温度の変化量を確認しながら、底温度が７０℃に達した後、蓋温度が目標とする温度となるように、底加熱手段２と蓋加熱手段３を制御している。
【００３６】
図６に示すように、本実施例の場合、底温度が７０℃に達する１時間前の蓋温度は７７℃で、２時間前の蓋温度は８０℃である。従って、２時間前から１時間の１時間では３度変化し、１時間前から、底温度が７０℃に達するまでの１時間では２度変化している。制御手段１０は、底温度が７０℃に達した後の１時間では、底温度が７０℃に達するまでの１時間の変化量２度より小さく１．５度変化させ、７３．５℃に、２時間後にはさらに小さく１度変化させて７２．５℃に、３時間後にはさらに小さく０．５度変化させて７２．０℃として、蓋の温度の変化量が次第に小さくなるように、底温度と蓋温度の差が所定の値（本実施例の場合２度）以下になるように底加熱手段２と前記蓋加熱手段３を制御している。
【００３７】
このように、本実施の形態では、底温度検知手段４による底の温度が、あらかじめ決められた保温温度に達した後、蓋温度検知手段６による蓋の温度が、底温度検知手段４による底の温度より高くなるように制御するとともに、その蓋の温度差の変化量が次第に小さくなるように底加熱手段２と蓋加熱手段３を制御することで、鍋上部や蓋の内側の結露が増え、露がご飯に落下して白化し、ご飯の味が劣化することを抑えることができる。
【００３８】
また、本実施の形態で温度や温度差や時間を具体的に示しているが、この値に限定されるものではなく、底の温度が、あらかじめ決められた保温温度に達した後も蓋の温度を急激に下げることなく、ゆるやかに下降するようにしていればよく、室温や炊飯量、蓋開閉の状態、目標とする保温温度などに応じて変化させてもよいのは明らかである。
【産業上の利用可能性】
【００３９】
以上のように、本発明にかかる炊飯器は、ご飯の味が劣化するのを抑えて保温することができるものであるので、家庭用のみならず保温機能を持つ業務用の炊飯器等の用途にも適用できる。
【符号の説明】
【００４０】
１  鍋
２  底加熱手段
３  蓋加熱手段
４  底温度検知手段
５  蓋
６  蓋温度検知手段
７  計時手段
８、９、１０  制御手段
【図１】
2011024795.tif 000003
【図２】
2011024795.tif 000004
【図３】
2011024795.tif 000005
【図４】
2011024795.tif 000006
【図５】
2011024795.tif 000007
【図６】
2011024795.tif 000008